【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
端末装置であって、
ＰＤＳＣＨ（Physical Downlink Shared CHannel）を受信する受信部と、
前記ＰＤＳＣＨに対するＨＡＲＱ−ＡＣＫ（Hybrid Automatic Repeat request ACKnowledgement）ビットを含むＨＡＲＱ−ＡＣＫコードブックを生成し、前記生成したＨＡＲＱ−ＡＣＫコードブックをＰＵＣＣＨ（Physical Uplink Control CHannel）で送信する送信部と、を備え、
第１のＲＲＣ（Radio Resource Control）パラメータが提供される場合、一つまたは二つのＨＡＲＱ−ＡＣＫコードブックが生成され、
前記二つのＨＡＲＱ−ＡＣＫコードブックが生成される第１の場合、第１のＨＡＲＱ−ＡＣＫコードブックと第２のＨＡＲＱ−ＡＣＫコードブックが生成され、
前記第１のＲＲＣパラメータが提供されない第２の場合、一つのＨＡＲＱ−ＡＣＫコードブックが生成される、
端末装置。
【請求項２】
前記第１の場合、前記第１のＨＡＲＱ−ＡＣＫコードブックは、第１のＰＤＳＣＨに対するＨＡＲＱ−ＡＣＫに関連付けられ、前記第２のＨＡＲＱ−ＡＣＫコードブックは、第２のＰＤＳＣＨに対するＨＡＲＱ−ＡＣＫに関連付けられ、前記第１のＰＤＳＣＨは、第１のフィールドの値が‘０’にセットされるＤＣＩ（Downlink Control Information）フォーマットによりスケジュールされ、前記第２のＰＤＳＣＨは、第１のフィールドの値が‘１’にセットされるＤＣＩフォーマットによりスケジュールされる、
請求項１記載の端末装置。
【請求項３】
一つまたは複数の下りリンクセミパーシステント(ＳＰＳ（Semi-Persistent）)設定を受信し、前記ＳＰＳ設定は、下りリンクセミパーシステント送信を設定するために用いられ、
前記第１の場合、前記ＳＰＳ設定のそれぞれに第２のＲＲＣパラメータが含まれ、前記第２のＲＲＣパラメータは、前記第２のＲＲＣパラメータを含むＳＰＳ設定のＳＰＳ  ＰＤＳＣＨ受信に対するＨＡＲＱ−ＡＣＫコードブックを示す、
請求項１記載の端末装置。
【請求項４】
ＨＡＲＱ−ＡＣＫコードブックのタイプは、タイプ１ＨＡＲＱ−ＡＣＫコードブックとタイプ２ＨＡＲＱ−ＡＣＫコードブックを含み、
前記第１の場合、前記第１のＨＡＲＱ−ＡＣＫコードブックのタイプは、第３のパラメータによって示され、前記第２のＨＡＲＱ−ＡＣＫコードブックのタイプは、第４のパラメータによって示される、
請求項１に記載の端末装置。
【請求項５】
端末装置と通信する基地局装置であって、
ＰＤＳＣＨ（Physical Downlink Shared CHannel）を送信する送信部と、
前記端末装置で前記ＰＤＳＣＨに対するＨＡＲＱ−ＡＣＫ（Hybrid Automatic Repeat request ACKnowledgement）ビットを含むＨＡＲＱ−ＡＣＫコードブックをＰＵＣＣＨ（Physical Uplink Control CHannel）で受信する受信部と、を備え、
前記端末装置に第１のＲＲＣ（Radio Resource Control）パラメータを提供する場合、一つまたは二つのＨＡＲＱ−ＡＣＫコードブックが生成され、
前記二つのＨＡＲＱ−ＡＣＫコードブックが生成される第１の場合、第１のＨＡＲＱ−ＡＣＫコードブックと第２のＨＡＲＱ−ＡＣＫコードブックが生成され、
前記端末装置に前記第１のＲＲＣパラメータが提供されない第２の場合、一つのＨＡＲＱ−ＡＣＫコードブックが生成される、
基地局装置。
【請求項６】
前記第１の場合、前記第１のＨＡＲＱ−ＡＣＫコードブックは、第１のＰＤＳＣＨに対するＨＡＲＱ−ＡＣＫに関連付けられ、前記第２のＨＡＲＱ−ＡＣＫコードブックは、第２のＰＤＳＣＨに対するＨＡＲＱ−ＡＣＫに関連付けられ、前記第1のＰＤＳＣＨは、第１のフィールドの値が‘０’にセットされるＤＣＩ（Downlink Control Information）フォーマットによりスケジュールされ、前記第２のＰＤＳＣＨは、第１のフィールドの値が‘１’にセットされるＤＣＩフォーマットによりスケジュールされる、
請求項５に記載の基地局装置。
【請求項７】
一つまたは複数の下りリンクセミパーシステント(ＳＰＳ（Semi-Persistent）)設定を送信し、前記ＳＰＳ設定は、下りリンクセミパーシステント送信を設定するために用いられ、
前記第１の場合、前記ＳＰＳ設定のそれぞれに第２のＲＲＣパラメータが含まれ、前記第２のＲＲＣパラメータは、前記第２のＲＲＣパラメータを含むＳＰＳ設定のＳＰＳ  ＰＤＳＣＨ送信に対するＨＡＲＱ−ＡＣＫコードブックを示す、
請求項５に記載の基地局装置。
【請求項８】
ＨＡＲＱ−ＡＣＫコードブックのタイプは、タイプ１ＨＡＲＱ−ＡＣＫコードブックとタイプ２ＨＡＲＱ−ＡＣＫコードブックを含み、前記第１の場合、前記第１のＨＡＲＱ−ＡＣＫコードブックのタイプは、第３のパラメータによって示され、前記第２のＨＡＲＱ−ＡＣＫコードブックのタイプは、第４のパラメータによって示される、
請求項５に記載の基地局装置。
【請求項９】
端末装置の通信方法であって、
ＰＤＳＣＨ（Physical Downlink Shared CHannel）を受信し、
前記ＰＤＳＣＨに対するＨＡＲＱ−ＡＣＫ（Hybrid Automatic Repeat request ACKnowledgement）ビットを含むＨＡＲＱ−ＡＣＫコードブックを生成し、前記生成したＨＡＲＱ−ＡＣＫコードブックをＰＵＣＣＨ（Physical Uplink Control CHannel）で送信し、
第１のＲＲＣ（Radio Resource Control）パラメータが提供される場合、一つまたは二つのＨＡＲＱ−ＡＣＫコードブックが生成され、
前記二つのＨＡＲＱ−ＡＣＫコードブックが生成される第１の場合、第１のＨＡＲＱ−ＡＣＫコードブックと第２のＨＡＲＱ−ＡＣＫコードブックが生成され、前記第１のＨＡＲＱ−ＡＣＫコードブックは、ＰＤＳＣＨ  Ａに対応するＨＡＲＱ−ＡＣＫビットを送信するために使われ、前記第２のＨＡＲＱ−ＡＣＫコードブックは、ＰＤＳＣＨ  Ｂに対応するＨＡＲＱ−ＡＣＫビットを送信するために使われ、
前記第１のＲＲＣパラメータが提供されない第２の場合、一つのＨＡＲＱ−ＡＣＫコードブックが生成される、
通信方法。
【請求項１０】
端末装置と通信する基地局装置の通信方法であって、
ＰＤＳＣＨ（Physical Downlink Shared CHannel）を送信し、
前記ＰＤＳＣＨに対するＨＡＲＱ−ＡＣＫ（Hybrid Automatic Repeat request ACKnowledgement）ビットを含むＨＡＲＱ−ＡＣＫコードブックをＰＵＣＣＨ（Physical Uplink Control CHannel）で受信し、
前記端末装置に第１のＲＲＣ（Radio Resource Control）パラメータが提供される場合、一つまたは二つのＨＡＲＱ−ＡＣＫコードブックが生成され、
前記二つのＨＡＲＱ−ＡＣＫコードブックが生成される第１の場合、第１のＨＡＲＱ−ＡＣＫコードブックと第２のＨＡＲＱ−ＡＣＫコードブックが生成され、
前記端末装置に前記第１のＲＲＣパラメータが提供されない第２の場合、一つのＨＡＲＱ−ＡＣＫコードブックが生成される、
通信方法。
【手続補正２】
【補正対象書類名】明細書
【補正対象項目名】発明の名称
【補正方法】変更
【補正の内容】
【発明の名称】基地局装置、端末装置、および通信方法